(57)【特許請求の範囲】
【請求項１】
巻上機の回転駆動により昇降する昇降かご内の床面に載置される板状の床置部材と、この床置部材に立設され所要の高さを有した直立部材と、この直立部材の上端に設けられ水平方向に延出する手摺部材とからなる手摺り部が、
昇降かごの内部に複数配置されてなり、各手摺り部の各直立部材が、昇降かごの各内側面に当接して配置されたとき、前記各床置部材の内側の辺が相互に接する
ことを特徴とする昇降機の手摺り装置。
【請求項２】
前記直立部材が板状に形成されてなる
ことを特徴とする請求項１に記載の昇降機の手摺り装置。
【請求項３】
前記床面に載置される各床置部材が着脱手段により相互に固定されてなる
ことを特徴とする請求項１または２に記載の昇降機の手摺り装置。
【発明の詳細な説明】
【０００１】
【発明の属する技術分野】
本発明は、エレベータの昇降かご内に設置される手摺りに係り、特に、身体の不自由な人や障害のある人が把持し易く着脱も可能な昇降機の手摺り装置に関するものである。
【０００２】
【従来の技術】
エレベータ等の昇降かごには、通常、手摺りを設けていないことから、お年寄りや身体障害者のように、身体の弱い人や身体の不自由な人が昇降かごに乗ったとき、身体を支えるものがなくて困ることがある。
そこで、昇降かご内に手摺りを設置する提案がなされている（特開２０００−３４５６７７号公報参照）。
この手摺りは、丸棒状で各所に複数のボルト挿通孔を設ける一方、昇降かごの側壁にもボルト挿通孔を形成している。
そして、昇降かごの外側面から側壁および手摺りのボルト挿通孔にボルトを挿入し、手摺り側に露出するネジ部にナットを螺入して締めつけることにより、昇降かごの内側面で水平方向へ延出する手摺りを固着している。
【０００３】
【発明が解決しようとする課題】
ところで、上記従来の手摺りは、身体の弱い人や身体の不自由な人が把持して身体を支えることができるものの、狭い昇降かご内に手摺りを固定しているため簡単に取り外すことができず、内側面から突出した手摺りが荷物の運搬時等に邪魔となる不具合が生じていた。
また、側壁に多数のボルト挿通孔を形成することから、昇降路に沿って頻繁に上下動する昇降かごの強度を低下させるという欠点もあった。
【０００４】
本発明は、上記のような問題を解決するためになされたもので、エレベータ等の昇降かごに乗った身体の不自由な人が把持し易く、簡便に着脱できる昇降機の手摺り装置を提供することを目的としている。
【０００５】
【課題を解決するための手段】
上記目的を達成するため、本発明のうち請求項１に記載の昇降機の手摺り装置は、巻上機の回転駆動により昇降する昇降かご内の床面に載置される板状の床置部材と、この床置部材に立設され所要の高さを有した直立部材と、この直立部材の上端に設けられ水平方向に延出する手摺部材とからなる手摺り部が、昇降かごの内部に複数配置されてなり、各手摺り部の各直立部材が、昇降かごの各内側面に当接して配置されたとき、前記各床置部材の内側の辺が相互に接することを特徴としている。
また、請求項２に記載の発明は、前記直立部材が板状に形成されてなることを特徴としている。
また、請求項３に記載の発明は、前記床面に載置される各床置部材が着脱手段により相互に固定されてなることを特徴としている。
【０００６】
【発明の実施の形態】
以下、本発明の実施の形態について、図示例を参照しながら説明する。
図１は、本発明の実施の形態に係る昇降機の手摺り装置を示す斜視図である。この昇降機の手摺り装置２は、エレベータの昇降かご１内に設置されるもので、第１〜第３の手摺り部３〜５からなり、着脱用具６を用いて床面１ｅに載置固定される構成となっている。
エレベータは、図示省略しているが、巻上機の回転駆動により昇降路に沿って昇降かご１が上下動する一般普及型で、この昇降かご１の一側面に出入口扉１ａが設けられている。
【０００７】
前記第１の手摺り部３は、床置板３Ａ、直立板３Ｂおよび手摺り３Ｃからなり、一体的に形成されている。
床置板３Ａは、図１および図３に示すように、略台形状の板体で、金属または硬質合成樹脂材等からなり、一辺３ａよりも他辺３ｃが長く斜辺３ｂを有している。
そして、この床置板３Ａは、一辺３ａ側と斜辺３ｂ側とに小穴を形成してあり、着脱用具６の脚部６ｂを係合可能としている（図２は、一辺３ａ側の小穴３ｅを示す）。
【０００８】
直立板３Ｂは、図１に示す如く所用の縦幅を有した矩形状の板体で、上端３ｄ側を若干屈曲させ、下端を床置板３Ａの他辺３ｃに連接してある。
なお、この直立板３Ｂは、車椅子で昇降かご１内へ乗った人や一般人が把持し易い高さに設定してある。
これにより、直立板３Ｂは、図４に示すように、床置板３Ａから上方に向けて垂直に延出し、上端３ｄ側が床置板３Ａ側で前屈みとなる。
手摺り３Ｃは、丸棒状で、直立板３Ｂの横幅に等しい長さを有しており、合成樹脂材や木材等により形成されている。そして、長さ方向に沿って細溝が設けられており、この細溝を直立板３Ｂの上端３ｄに嵌合し、かつ接着することで手摺り３Ｃを直立板３Ｂに対し強固に固着してある。
【０００９】
第２の手摺り部４も、床置板４Ａ、直立板４Ｂおよび手摺り４Ｃからなり、床置板４Ａが前記第１の手摺り部３の床置板３Ａと相似形に形成された点が異なるのみで、他は同一形状となっている。
この第２の手摺り部４は、床置板４Ａの一辺４ａと斜辺４ｂとに小穴を形成してある。
また、第３の手摺り部５も、床置板５Ａ、直立板５Ｂおよび手摺り５Ｃからなり、床置板５Ａが三角形状に形成された点が前記第１および第２の手摺り部３，４と異なるのみで、他は同一形状となっている。
この第３の手摺り部５は、床置板５Ａの２つの斜辺５ａ，５ｂに小穴を形成してある。
【００１０】
着脱用具６は、各手摺り部３〜５の連結に用いるもので、細長く扁平な把持部６ａの下面両端に、２個の脚部６ｂを一体形成している。この脚部６ｂは、各床置板３Ａ〜５Ａの小穴に係合可能な円柱状に形成されている。
なお、本例では、昇降かご１の床面１ｅに載置する床置板３Ａ、４Ａまたは５Ａを覆うカバーとして、床面１ｅのサイズに適合したマット７を用いるようにしている。
このように形成された第１〜第３の手摺り部３〜５は、それぞれ側面視が直角状で、各直立板の上端には水平方向へ延出する手摺りが設けられている。
【００１１】
しかして、これらの手摺り部３〜５をエレベータにて使用する場合は、何れかの１台を単体のまま昇降かご１内に配置してもよいし、３台を連結し手摺り装置１を構成して設置することもできる。
例えば、第３の手摺り部５のみを使用する場合、昇降かご１内に運び込んで床面１ｅに床置板５Ａを載置し、後側面１ｄに直立板５Ｂの背面側を当接する。そして、三角形状の床置板５Ａと床面１ｅとの上にマット７を敷いておく。
これにより、床置板５Ａがマット７にて覆われるので、第３の手摺り部５が昇降かご１内で安定に保持される。また、床面１ｅと床置板５Ａとの間に段差が生じないから、昇降かご１に人が乗るときにつまずくようなことはない。
【００１２】
この昇降かご１内では、横長の手摺り５Ｃが把持し易い高さに位置し、前屈みとなっていて後側面１ｄとの間に間隙を有しているため、身体の不自由な人や弱っている人、さらには車椅子に乗った人が容易に把持することができる。
従って、この手摺り５Ｃで身体を支えられるから、昇降かご１内においては身体が楽になる。
この後、第３の手摺り部５を使用しないときは、床置板５Ａ上のマット７を取り除いてから昇降かご１の外へ運び出せばよい。これにて、昇降かご１を一般人の使用とすることができる。
【００１３】
また、３台を連結して使用する場合は、第１の手摺り部３、第２の手摺り部４、第３の手摺り部５といった順で昇降かご１内に運び込み、床面１ｅに各床置板３Ａ〜５Ａを載置する。
この際、昇降かご１の一側面１ｂに直立板３Ｂの背面側を、他側面１ｃに直立板４Ｂの背面側を、後側面１ｄに直立板５Ｂの背面側をそれぞれ当接すると、図３に示すように、各辺が相互に隣接して１枚の板状となる。
すなわち、第１の手摺り部３側の一辺３ａに第2の手摺り部4側の一辺4ａが、第１の手摺り部３側の斜辺３ｂに第３の手摺り部５側の斜辺５ａが、第３の手摺り部５側の斜辺５ｂに第２の手摺り部４側の斜辺４ｂがそれぞれ接する。
【００１４】
この状態で、図２に示す如く第１の手摺り部３側の小穴３ｅと第２の手摺り部４側の小穴４ｅとに着脱用具６の各脚部６ｂを係合する。また、第１の手摺り部３側の小穴と第３の手摺り部５側の小穴、さらに、第２の手摺り部４側の小穴と第３の手摺り部５側の小穴とに着脱用具６の各脚部６ｂをそれぞれ係合する。
これにより、着脱用具６が床置板３Ａ〜５Ａ相互を連結するので、床面１ｅに各床置板３Ａ〜５Ａが固定され、移動が規制される。
この状態で床置板３Ａ〜５Ａの上にマット７を敷くと、図４に示す如く全体が覆われるので、第１〜第３の手摺り部３〜５が昇降かご１内で安定に保持される。
【００１５】
また、この昇降かご１内では、横長の各手摺り３Ｃ〜５Ｃが把持し易い高さに位置し、それぞれが前屈みとなっている。
よって、前述のように身体の不自由な人や弱っている人、さらには車椅子に乗った人等が容易に把持して身体を支えられ楽になる。
この後、手摺り装置２を使用しないときは、床置板３Ａ〜５Ａ上のマット７を取り除いてから、第１〜第３の手摺り部３〜５を昇降かご１の外へ運び出すと、昇降かご１を一般人用に戻すことができる。
なお、上記実施の形態においては、直立部材を板状に形成したが、柱状にして複数本を床置部材に立設し、各上端に前記棒状の手摺部材を取り付ける構成としてもよい。
【００１６】
【発明の効果】
以上説明したように、本発明のうち請求項１に記載の発明は、身体の弱い人や身体の不自由な人が昇降かごに乗る前に、この昇降かご内の床面に床置部材を載置して内側面に近接させると、各床置部材の内側の辺が相互に接することにより、昇降かごの内部で手摺り部が動くことがなく、これらの人が乗り込んだときに所用の高さを有した手摺部材を把持して身体を支えることができる。
また、不要になったときは昇降かご内から外方に除去しておくと、この昇降かごを健常者用とすることができるから、エレベータのような昇降機では邪魔となりがちな手摺りを取り付ける必用がなくなるといった効果がある。
また、請求項２に記載の発明は、手摺部材が昇降かご内の一側面の横幅にほぼ等しい長さを有し、直立部材が板状に形成されているから、手摺部材が把持し易いうえに昇降かご内で転倒することなく安定に保持される利点がある。
また、請求項３に記載の発明は、直立部材および手摺部材が昇降かごの各内側面に近接して配置され、床面に載置される各床置部材が着脱手段により相互に固定されているので、手摺部材を把持できる範囲が格段に拡がる利点がある。
【図面の簡単な説明】
【図１】本発明の実施の形態に係る昇降機の手摺り装置を示す斜視図である。
【図２】床置部材が着脱手段で昇降かごの床面に固定される状態を示す説明図である。
【図３】昇降機の手摺り装置を示す平面図である。
【図４】昇降機の手摺り装置を示す側面図である。
【符号の説明】
１    昇降かご
１ｅ  床面
３Ａ，４Ａ，５Ａ  床置部材
３Ｂ，４Ｂ，５Ｂ  床置部材
３Ｃ，４Ｃ，５Ｃ  手摺部材
【図１】
0003543087.tif 000002
【図２】
0003543087.tif 000003
【図３】
0003543087.tif 000004
【図４】
0003543087.tif 000005